(57)【要約】  【課題】組立や分解が容易に行なえるようにした低コストな撮影用ズームレンズ鏡胴を提供すること。  【解決手段】固定枠部材１に設けられた複数のキー溝のうち、キー溝１ｂは貫通溝として形成され、結像面側の端部は開放されている。キー筒２には、第２レンズ群を取付けたレンズ枠７，第１レンズ群を取付けた直進筒３，回転・直進筒６が順に組み付けられている。そして、このような組立体は、固定枠部材１内へ挿入され、その最終段階では、回転・直進筒６に形成された複合歯部６ｄの雌ヘリコイドを固定枠部材１の雄ヘリコイド１ａに螺合させておいて、キー筒２を押し込む。そのとき、ファインダ光学系を連動させるためにキー筒２に形成されたキー２ｄは、キー溝１ｂに、その開放端から嵌合させられるようになっている。そのため、固定枠部材１からの取り外しも簡単である。【選択図】  図１
2005043787.tif 000002
【特許請求の範囲】
【請求項１】
内壁面にヘリコイドと光軸に平行な複数のキー溝とを有しており該キー溝の一つは結像面側の一端が開放された貫通溝として形成されている固定枠部材と、光軸に平行な複数のキー溝と前記固定枠部材の複数のキー溝に各々嵌合させる複数のキーとを有しており該キーの一つを前記貫通溝を貫通させてファインダ光学系の連動ピンとしているキー筒と、第１レンズ群を取り付けていて前記固定枠部材と前記キー筒との間に配置されており内壁には前記キー筒の複数のキー溝に各々嵌合させる複数のキーを有し外壁にはヘリコイドを有している直進筒と、前記固定枠部材と前記直進筒との間に配置されており内壁には前記直進筒のヘリコイドに螺合するヘリコイドとカム溝とを有し外壁には前記固定枠部材のヘリコイドに螺合するヘリコイドと駆動歯車に噛合する歯部とを有していて該駆動歯車によって回転されながら前記キー筒を伴って光軸方向へ移動する回転・直進筒と、第２レンズ群を取り付けており前記キー筒の複数のキー溝に各々嵌合させる複数のキーと前記カム溝に嵌合させる複数のピンとを有しているレンズ枠と、を備えていることを特徴とする撮影用ズームレンズ鏡胴。
【請求項２】
前記固定枠部材が、合成樹脂製であって、前記貫通溝の開放端に、前記連動ピンがくぐり抜け得るようにして該貫通溝の両側を連結した補強部を形成していることを特徴とする請求項１に記載の撮影用ズームレンズ鏡胴。
【請求項３】
前記第１レンズ群を取り付けたレンズ枠とシャッタ地板とが相互に取り付けられていて、該レンズ枠が前記直進筒に取り付けられていることを特徴とする請求項１又は２に記載の撮影用ズームレンズ鏡胴。
【発明の詳細な説明】
【技術分野】
【０００１】
本発明は、撮影用光学系のズーミング作動に連動してファインダ光学系のズーミング操作を可能にした撮影用のズームレンズ鏡胴に関する。
【背景技術】
【０００２】
撮影用光学系のズーミング作動に連動してファインダ光学系のズーミング作動を行なわせるためには、一方では、撮影用レンズ鏡胴の本体となる固定枠部材に光軸と平行な貫通溝を形成しておき、他方では、その固定部材内で撮影レンズと連動して光軸方向へ移動する可動部材に連動ピンを設けておき、その連動ピンを貫通溝から突き出させ、その連動ピンの移動に連動させて、ファインダ光学系の可動レンズを移動させるようにするのが普通である。
【０００３】
そして、このような構成にするためには、連動ピンを可動部材とは別部材として製作し、可動部材を固定枠部材の内部に組み込んだ後、連動ピンを貫通溝に挿入して可動部材に取り付けていたが、その場合における両者の一体化は、圧入か、それに準じた方法で行なわれていた。また、連動ピンに相当する部位と共に可動部材を板材で製作し、その連動ピンに相当する部位を貫通溝から突き出させるようにして、可動部材を固定枠部材に取り付けるようにした構成も知られている（特許文献１参照）。
【特許文献１】特開平６−３１７８２８号公報（第３−５頁、図１−６）
【発明の開示】
【発明が解決しようとする課題】
【０００４】
ところが、連動ピンを可動部材とは別部材として製作し、貫通溝に挿入して可動部材に取り付ける場合は、作動中に両者が外れないように、確実に一体化する必要があるため、従来は、上記のように連動ピンを可動部材に圧入するのが普通であったが、連動ピンの先端にタッピンねじを形成して可動部材に螺着したり、可動部材に孔を形成し連動ピンの先端をその内部で接着することも考えられる。しかしながら、それらのようにして取り付けた場合は、修理時に、可動部材を固定枠部材から取り外すことが非常に面倒であり、場合によっては可動部材や連動ピンを交換しなければならないという問題点があった。また、特許文献１に記載された構成を採用すれば、そのような問題は生じないが、可動部材が筒部材である場合には、そのような構成を採用することができない。
【０００５】
本発明は、このような問題点を解決するためになされたものであり、その目的とするところは、固定枠部材の内部において撮影レンズと連動して光軸方向へ移動する筒状の可動部材が、ファインダ光学系の可動レンズを移動させるようにした撮影用のズームレンズ鏡胴であって、その筒状の可動部材と、貫通溝から固定枠部材の外部に突き出た連動ピンとを一つの部材とすることができ、しかも、その可動部材が、固定枠部材への取り付けも固定枠部材からの取り外しも極めて容易に行なえるようにした撮影用のズームレンズ鏡胴を提供することである。
【課題を解決するための手段】
【０００６】
上記の目的を達成するために、本発明のレンズ鏡胴は、内壁面にヘリコイドと光軸に平行な複数のキー溝とを有しており該キー溝の一つは結像面側の一端が開放された貫通溝として形成されている固定枠部材と、光軸に平行な複数のキー溝と前記固定枠部材の複数のキー溝に各々嵌合させる複数のキーとを有しており該キーの一つを前記貫通溝を貫通させてファインダ光学系の連動ピンとしているキー筒と、第１レンズ群を取り付けていて前記固定枠部材と前記キー筒との間に配置されており内壁には前記キー筒の複数のキー溝に各々嵌合させる複数のキーを有し外壁にはヘリコイドを有している直進筒と、前記固定枠部材と前記直進筒との間に配置されており内壁には前記直進筒のヘリコイドに螺合するヘリコイドとカム溝とを有し外壁には前記固定枠部材のヘリコイドに螺合するヘリコイドと駆動歯車に噛合する歯部とを有していて該駆動歯車によって回転されながら前記キー筒を伴って光軸方向へ移動する回転・直進筒と、第２レンズ群を取り付けており前記キー筒の複数のキー溝に各々嵌合させる複数のキーと前記カム溝に嵌合させる複数のピンとを有しているレンズ枠と、を備えているようにする。
【０００７】
また、前記固定枠部材が、合成樹脂製の場合には、前記貫通溝の開放端に、前記連動ピンがくぐり抜け得るようにして該貫通溝の両側を連結した補強部を形成すると、有利な構成になる。更に、前記第１レンズ群を取り付けたレンズ枠とシャッタ地板とが相互に取り付けられていて、該レンズ枠が前記直進筒に取り付けられているようにすると、レンズシャッタ付きのレンズ鏡胴として、極めて有利な構成になる。
【発明の効果】
【０００８】
本発明の撮影用ズームレンズ鏡胴によれば、鏡胴本体である固定枠部材から、ズーミングのたびに光軸方向へ作動する複数の筒部材を、簡単に着脱することができるので、組立作業や、不具合が生じたときの分解作業が容易に行なえるようになる。また、撮影レンズと連動して光軸方向へ移動する部材が筒部材であるにもかかわらず、従来のようにファインダ光学系との連動ピンを別部材とせず、一つの部品として製作することができるので、コストの点でも有利になる。
【発明を実施するための最良の形態】
【０００９】
本発明の実施の形態を、図示した実施例によって説明する。尚、本実施例は、レンズシャッタ付きカメラに採用される場合の構成であって、図１は、初期位置からレンズが若干繰り出されている状態を示した断面図であり、図２は、要部だけを示した図１の上面図であり、図３は、実施例における回転・直進筒の複合歯部を概念的に示した図である。
【００１０】
先ず、本実施例の構成を説明する。鏡胴本体となる合成樹脂製の固定枠部材１は、図１の右側から見たとき外形が略方形をしており、中央に貫通して形成された空間は、光軸Ｏを中心にした円形をしている。この固定枠部材１は、内壁面に雄ヘリコイド１ａと、光軸Ｏに平行な複数のキー溝とを有しているが、それらのキー溝のうち、図示した一つのキー溝１ｂだけが貫通溝として形成されている。そして、このキー溝１ｂは結像面側（図１，２の右側）の一端が開放されており、その開放端に、両側を連結した門構えの補強部１ｃが形成されている。
【００１１】
合成樹脂製のキー筒２は、全体として円筒形をしており、光軸Ｏに平行な複数のキー溝２ａを有しているが、図１には、その一つだけが示されている。また、キー筒２のフランジ部２ｂには、光軸Ｏを中心にして円形に形成された凹溝２ｃと、固定枠部材１の上記の複数のキー溝に嵌合させた複数のキーとを有している。そして、それらのキーのうち、図示した一つのキー２ｄだけは、光軸Ｏから放射方向に形成された部位と、そこから図１の上方へ形成された部位とで、図１の左側から見て「く」字状をしており、断面が「Ｄ」字状をしていてキー溝１ｂを貫通させている先端部を、ファインダ光学系の連動ピンとしている。
【００１２】
直進筒３は、キー筒２の固定枠部材１側に配置されており、内壁には、キー筒２の複数のキー溝２ａに嵌合させた複数のキー３ａを有しているが、図１においては、その一つだけを示している。また、直進筒３の外壁には、雄ヘリコイド３ｂが形成されている。更に、直進筒３には、第１レンズ群のレンズ枠４が取り付けられ、そのレンズ枠４にはレンズシャッタ５の地板が取り付けられている。尚、本実施例の場合には、レンズシャッタ５にも第１レンズ群のレンズを取り付けているが、このレンズをレンズ枠４に取り付けるようにしても構わない。また、本実施例の場合には、レンズ枠４にレンズシャッタ５を取り付けているが、フォーカルプレンシャッタを備えたカメラに採用する場合は、レンズシャッタ５が不要であるし、ビデオカメラに採用する場合も不要なことがある。
【００１３】
回転・直進筒６は、固定枠部材１と直進筒３の間に配置されており、内壁には、直進筒３の雄ヘリコイド３ｂに螺合する雌ヘリコイド６ａと、カム溝６ｂと、光軸Ｏを中心に円形をした突条６ｃとを有していて、その突条６ｃを、キー筒２の凹溝２ｃに回転可能に嵌合させている。また、回転・直進筒６の外壁には、複合歯部６ｄが形成されているが、この複合歯部６ｄは、図３に示されているように、図示していない駆動歯車に噛合する歯部６ｄ−１と、固定枠部材１の雄ヘリコイド１ａに螺合する雌ヘリコイド６ｄ−２とを複合的に形成したものである。しかし、歯部６ｄ−１と雌ヘリコイド６ｄ−２とを独立して形成しても差し支えない。
【００１４】
また、上記の駆動歯車は、その回転軸を光軸Ｏと平行にして、固定枠部材１の外側に取り付けられていて、固定枠部材１に形成された図示していない欠損部において、内側にある回転・直進筒６の歯部６ｄ−１に噛合している。そして、その駆動歯車の長さは、回転・直進筒６が直進作動しても、その歯部６ｄ−１との噛合が外れない長さに形成されている。尚、この駆動歯車は、本実施例の場合にはモータによって回転させられるが、手動で回転させてもよいことは言うまでもない。
【００１５】
そして、第２レンズ群を取り付けているレンズ枠７は、キー筒２の複数のキー溝２ａに嵌合させた複数のキー７ａと、回転・直進筒６のカム溝６ｂに嵌合させた複数のピン７ｂとを有している。尚、図示していないが、キー筒２には、ピン７ｂを貫通させるために、光軸Ｏと平行な複数の長孔が形成されている。
【００１６】
ここで、固定枠部材１への取付け方を説明する。先ず、予めキー筒２に対してレンズ枠７，直進筒３，回転・直進筒６の順で組み付けておく。そして、このサブ・ユニットを、図１の右側から固定枠部材１内へ挿入する。そして、その挿入の最終段階では、回転・直進筒６の歯部６ｄ−１を図示していない駆動歯車に噛合させ、雌ヘリコイド６ｄ−２を固定枠部材１の雄ヘリコイド１ａに螺合させて押し込む。そのため、その段階では、回転・直進筒６は回転し、駆動歯車を回転させながら押し込まれることになる。
【００１７】
このとき、キー筒２のフランジ部２ｂと一体的に成形された連動ピン用のキー２ｄは、固定枠部材１の補強部１ｃをくぐり抜けるので、貫通溝として形成されたキー溝１ｂに好適に嵌合される。そして、完全に押し込んだ状態が、取付け完了状態である。そして、この状態が得られたときは、図１の右側を下に向けても、ヘリコイドの摩擦によって簡単には抜け出すことがない。また、不具合が発生して、固定枠部材１からサブ・ユニットを取り外す場合には、キー筒２のフランジ部２ｂを把持して、図１の右側に引き出せばよい。
【００１８】
このように、本実施例の場合には、キー溝１ｂが、結像面側の端部を開放した形状に形成されているため、固定枠部材１に対するサブ・ユニットの着脱が極めて容易に行なえる。しかも、キー筒３が筒部材であるにもかかわらず、キー２ｄを別部材にする必要がなく、両者を一つの部材として製作することが可能であるため、コストの点でも有利である。尚、本実施例の場合には、固定枠部材１が合成樹脂製であって、キー溝１ｂの開放端の両側がかなり薄いため、その部位が所定の形状を維持できるようにするために補強部１ｃを形成している。
【００１９】
次に、本実施例の作動を説明するが、図１は、初期位置からレンズが若干繰り出された状態を示している。そのため、初期位置においては、キー筒２，直進筒３，回転・直進筒６は、図１の位置より若干右側にあり、直進筒３と回転・直進筒６は、固定枠部材１内に完全に入っている。その初期位置において、図示していない駆動歯車がモータによって正方向へ回転させられると、回転・直進筒６は回転し、その雌ヘリコイド６ｄ−２と固定枠部材１の雄ヘリコイド１ａとの螺合関係により、図１の左方向（被写体方向）へ移動させられる。
【００２０】
この回転・直進筒６の回転しながらの直進によって、凹溝２ｃに突条６ｃを嵌合させているキー筒２は、キー溝１ｂを含む複数のキー溝に案内されて左方へ直進する。また、雄ヘリコイド３ｂを雌ヘリコイド６ａに螺合させている直進筒３は、その複数のキー３ａをキー筒２のキー溝２ａに嵌合させているので、回転せずに、左方へ直進させられ第１レンズ群を移動させる。更に、レンズ枠７は、そのキー７ａがキー筒２のキー溝２ａに嵌合しているので、カム溝６ｂの形状に応じて左方へ直進させられ、第１レンズ群と第２レンズ群の間隔を変化させる。
【００２１】
このようにして、固定枠部材１からレンズを繰り出して撮影画枠を大きくしていくが、このとき、図示していないファインダ光学系の可動レンズは、キー筒２が左方へ移動するのに伴い、キー２ｄに連動して左方へ移動し、ファインダ画枠を撮影画枠に同期させて大きくしていく。そして、キー筒２が左方の限界位置で停止した状態が、最大倍率の制御状態である。また、モータを逆転させれば、上記とは逆の作動を行い初期位置に復帰することになる。尚、モータを、どのようにして起動し、どちらの方向に回転させ、どのような回転位置で停止させるようにするかは、カメラの仕様によって様々である。
【図面の簡単な説明】
【００２２】
【図１】初期位置からレンズが若干繰り出されている状態を示した実施例の断面図である。
【図２】要部だけを示した図１の上面図である。
【図３】実施例における回転・直進筒の複合歯部を概念的に示した図である。
【符号の説明】
【００２３】
Ｏ                    光軸
１                    固定枠部材
１ａ，３ｂ            雄ヘリコイド
１ｂ，２ａ            キー溝
１ｃ                  補強部
２                    キー筒
２ｂ                  フランジ部
２ｃ                  凹溝
２ｄ，３ａ，７ａ      キー
３                    直進筒
４，７                レンズ枠
５                    レンズシャッタ
６                    回転・直進筒
６ａ，６ｄ−２        雌ヘリコイド
６ｂ                  カム溝
６ｃ                  突条
６ｄ                  複合歯部
６ｄ−１              歯部
７ｂ                  ピン
【図１】
2005043787.tif 000003
【図２】
2005043787.tif 000004
【図３】
2005043787.tif 000005